(57)【要約】【課題】本発明は、一種のレンズモジュールを提供する。【解決手段】レンズモジュールは、鏡筒と、鏡筒に収納されるレンズ群、遮光板および第１遮光シートとを備え、鏡筒は、光通過孔が開設された第１筒壁と、第１筒壁から折り曲げて延伸する第２筒壁と、第２筒壁から光軸より離れる方向へ延伸する第３筒壁と、第３筒壁から第１筒壁より離れる方向へ折り曲げて延伸する第４筒壁とを備え、レンズ群は、第４筒壁に固定される第１レンズと、第３筒壁に固定される第２レンズとを備え、遮光板と第１遮光シートは、第１レンズと第２レンズとの間に位置され、遮光板は、本体部と、本体部から第３筒壁へ延伸する複数の第１ボスとを備え、隣接する第１ボス同士の間には隙間が設けられ、第１遮光シートは、本体部と、本体部から外部に延伸する複数の接続部とを備え、接続部は、隙間に位置され且つ隙間と逐一対応するように設置される。関連技術に比べて、本発明のレンズモジュールはより良い力学的安定性を有する。【選択図】図２
2020027290.tif 000002
【特許請求の範囲】
【請求項１】
鏡筒と、前記鏡筒に収納されるレンズ群、遮光板および第１遮光シートとを備え、
前記鏡筒は、光通過孔が開設された第１筒壁と、前記第１筒壁から折り曲げて延伸する第２筒壁と、前記第２筒壁から光軸より離れる方向へ延伸する第３筒壁と、前記第３筒壁から前記第１筒壁より離れる方向へ折り曲げて延伸する第４筒壁とを備え、
前記レンズ群は、前記第４筒壁に固定される第１レンズと、前記第３筒壁に固定される第２レンズとを備え、前記遮光板と前記第１遮光シートは、前記第１レンズと前記第２レンズとの間に位置されるレンズモジュールであって、
前記遮光板は、本体部と、前記本体部から前記第３筒壁へ延伸する複数の第１ボスとを備え、隣接する前記第１ボス同士の間には隙間が設けられ、
前記第１遮光シートは、本体部と、前記本体部から外部に延伸する複数の接続部とを備え、前記接続部は、前記隙間に位置され且つ前記隙間と逐一対応するように設置されることを特徴とするレンズモジュール。
【請求項２】
前記接続部における光軸に近寄る一端から光軸より離れる一端まで、前記接続部の幅が徐々に大きくなるように設置されることを特徴とする請求項１に記載のレンズモジュール。
【請求項３】
前記第１ボスは二つあり、且つ、二つの前記第１ボスは、前記遮光板の中心軸に対して線対称に設置され、
前記接続部は二つあり、二つの前記接続部はそれぞれ、二つの前記第１ボスの間の隙間に係合接続されていることを特徴とする請求項１に記載のレンズモジュール。
【請求項４】
前記第１ボスは三つあり、三つの前記第１ボスは、前記遮光板の周方向に沿って均一に配置され、
前記接続部は三つあり、三つの前記接続部はそれぞれ、隣接する前記第１ボス同士の間の隙間に係合接続されていることを特徴とする請求項１に記載のレンズモジュール。
【請求項５】
前記遮光板は、前記本体部から前記第１筒壁より離れる方向へ延伸する第２ボスをさらに備え、
前記第１レンズは、前記第２ボスに取り付けられることを特徴とする請求項１に記載のレンズモジュール。
【請求項６】
前記第３筒壁は、前記第１レンズと対向している第１表面と、光軸と対向している第２表面とを備え、
第２レンズは、前記第２表面に当接していることを特徴とする請求項１に記載のレンズモジュール。
【請求項７】
前記第３筒壁は、前記第１表面から前記第１レンズの方向へ延伸する当接部をさらに備え、
前記当接部は、前記遮光板に当接していることを特徴とする請求項１に記載のレンズモジュール。
【請求項８】
前記第１遮光シートの本体部は、前記第２レンズと前記遮光板との間に挟まれて設置されることを特徴とする請求項１に記載のレンズモジュール。
【請求項９】
前記レンズモジュールは、前記遮光板と前記第１レンズとの間に挟まれて設置される第２遮光シートをさらに備えることを特徴とする請求項１に記載のレンズモジュール。
【発明の詳細な説明】
【技術分野】
【０００１】
本発明は、撮像レンズの分野に関し、特にレンズモジュールに関する。
【背景技術】
【０００２】
科学技術の発展に伴い、電子機器は絶えずにスマート化へ発展しつつある。デジタルカメラの以外、タブレットＰＣ、携帯電話などの携帯型の電子機器にもレンズモジュールが配置されている。人々の使用ニーズを満たすために、レンズモジュールにより撮影された物体の映像品質に対してもより高い要求が求められている。撮影された物体の映像品質は、かなりの程度でレンズモジュールにおける各レンズの間の安定性に関係している。
【０００３】
従来技術におけるレンズモジュールは、水平に延伸する第１筒壁と前記第１筒壁から折り曲げて延伸する第２筒壁を備える鏡筒と、前記鏡筒に収容されるレンズ群および遮光板とを備え、前記遮光板は、本体部と、前記本体部から光軸方向へ延伸する延伸部とを備え、前記延伸部は前記第２筒壁に当接している。前記レンズモジュールの組立過程において、遮光板の強度が足りないため、レンズの間の隙間が明らかに変化しまい、安定性が十分ではない。
【０００４】
したがって、上記した欠陥を解消するために、新規のレンズモジュールを提供する必要がある。
【発明の概要】
【発明が解決しようとする課題】
【０００５】
本発明は、上記技術問題を解決し、より良い力学的安定性を有するレンズモジュールを提供することを目的としている。
【課題を解決するための手段】
【０００６】
上記の目的を達成するために、本発明は一種のレンズモジュールを提供する。鏡筒と、前記鏡筒に収納されるレンズ群、遮光板および第１遮光シートとを備え、前記鏡筒は、光通過孔が開設された第１筒壁と、前記第１筒壁から折り曲げて延伸する第２筒壁と、前記第２筒壁から光軸より離れる方向へ延伸する第３筒壁と、前記第３筒壁から前記第１筒壁より離れる方向へ折り曲げて延伸する第４筒壁とを備え、前記レンズ群は、前記第４筒壁に固定される第１レンズと、前記第３筒壁に固定される第２レンズとを備え、前記遮光板と前記第１遮光シートは、前記第１レンズと前記第２レンズとの間に位置されるレンズモジュールであって、前記遮光板は、本体部と、前記本体部から前記第３筒壁へ延伸する複数の第１ボスとを備え、隣接する前記第１ボス同士の間には隙間が設けられ、前記第１遮光シートは、本体部と、前記本体部から外部に延伸する複数の接続部とを備え、前記接続部は、前記隙間に位置され且つ前記隙間と逐一対応するように設置される。
【０００７】
好ましくは、前記接続部における光軸に近寄る一端から光軸より離れる一端まで、前記接続部の幅が徐々に大きくなるように設置される。
【０００８】
好ましくは、前記第１ボスは二つあり、且つ、二つの前記第１ボスは前記遮光板の中心軸に対して線対称に設置され、前記接続部は二つあり、二つの前記接続部はそれぞれ、二つの前記第１ボスの間の隙間に係合接続されている。
【０００９】
好ましくは、前記第１ボスは三つあり、三つの前記第１ボスは前記遮光板の周方向に沿って均一に配置され、前記接続部は三つあり、三つの前記接続部はそれぞれ、隣接する前記第１ボス同士の間の隙間に係合接続されている。
【００１０】
好ましくは、前記遮光板は、前記本体部から前記第１筒壁より離れる方向へ延伸する第２ボスをさらに備え、前記第１レンズは、前記第２ボスに取り付けられる。
【００１１】
好ましくは、前記第３筒壁は、前記第１レンズと対向している第１表面と、光軸と対向している第２表面とを備え、第２レンズは、前記第２表面に当接している。
【００１２】
好ましくは、前記第３筒壁は、前記第１表面から第１レンズの方向へ延伸する当接部をさらに備え、前記当接部は、前記遮光板に当接している。
【００１３】
好ましくは、前記第１遮光シートの本体部は、前記第２レンズと前記遮光板との間に挟まれて設置される。
【００１４】
好ましくは、前記レンズモジュールは、前記遮光板と前記第１レンズとの間に挟まれて設置される第２遮光シートをさらに備える。
【発明の効果】
【００１５】
従来技術に比べて、本発明に係るレンズモジュールは、互いに間隔をあけて設置される複数個の第１ボスを設置することによって、前記第１ボスの厚さおよび前記本体部の長さを調整することで前記レンズモジュールの安定性を確保することができ、前記第１遮光シートを前記第１ボスにおける光軸に近寄る側に設置することによって、前記第１遮光シートと前記遮光板を互いに協働させて前記レンズモジュールの遮光性能を向上させる一方で、前記第１ボスの厚さに影響することを回避し、さらに前記第２レンズの安定性を確保する。
【図面の簡単な説明】
【００１６】
本発明における実施例の技術方案をより明確に説明するために、以下で実施例の説明に使用される図面について簡単に説明する。下記の図面は本発明の幾つかの実施例に過ぎないが、進歩性のある労働をせずにこれらの図面に基づいて他の図面を得ることもできることは、当業者にとっては自明なことである。
【図１】本発明に係るレンズモジュールの全体の構成を示す図である。
【図２】図１に示すレンズモジュールのＡ-Ａ線に沿った断面図である。
【図３】第１実施例に係るレンズモジュールの一部の構成の分解図である。
【図４】第２実施例に係るレンズモジュールの一部の構成の分解図である。
【発明を実施するための形態】
【００１７】
以下、本発明の実施例における図面を参照しながら、本発明の実施例における技術方案を明確かつ完全に説明する。当然ながら、説明した実施例は、本発明の一部の実施例に過ぎなく、すべての実施例ではない。当業者が本発明の実施例に基づいて進歩性のある労働をしない前提で得られたすべての他の実施例は、いずれも本発明の保護範囲に属する。
【００１８】
（第１実施例）
図１及び図２に示すように、レンズモジュール１００は、鏡筒１と、鏡筒１に収納されるレンズ群３、遮光板５、第１遮光シート７、第２遮光シート８および押えリング９とを備える。
【００１９】
鏡筒１は、光通過孔１１１が開設された第１筒壁１１と、第１筒壁１１から折り曲げて延伸する第２筒壁１３と、第２筒壁１３から光軸より離れる方向へ延伸する第３筒壁１５と、第３筒壁１５から第１筒壁１１より離れる方向へ折り曲げて延伸する第４筒壁１７とを備える。第１筒壁１１、第２筒壁１３、第３筒壁１５および第４筒壁１７により、収容空間１０１が取り囲まれて形成される。
【００２０】
第３筒壁１５は、第１筒壁１１から離れる第１表面１５１、光軸と対向している第２表面１５３、および第１表面１５１から継続して第１筒壁１１から離れる方向へ延伸する当接部１５５を備え、当接部１５５は遮光板５に当接している。
【００２１】
レンズ群３は、第４筒壁１７に固定される第１レンズ３１、第３筒壁１５に固定される第２レンズ３３、および第１レンズ３１から第１筒壁１１までの方向に沿って順次に第２レンズ３３と第１筒壁１１との間に挟設される第３レンズ３５、第４レンズ３７、第５レンズ３９を備え、遮光板５と第１遮光シート７は、第１レンズ３１と第２レンズ３３との間に位置される。本実施形態において、レンズ群３は５枚のレンズを有するが、その他の実施形態では、実際の必要に応じて２枚またはその他の枚数のレンズを設置してもよい。
【００２２】
第１レンズ３１は、結像するための光学部３１１、光学部３１１をめぐって延伸する周辺部３１３、および周辺部３１３から第１筒壁１１に接近する方向へ延伸する突出部３１５を備える。
【００２３】
第２レンズ３３は、第２表面１５３に当接している。
【００２４】
遮光板５は、第１レンズ３１と第２レンズ３３との間に挟まれて設置されている。具体的には、遮光板５は、本体部５１、本体部５１から第３筒壁１５へ延伸する複数の第１ボス５３、および本体部５１から第１筒壁１１より離れる方向へ延伸する第２ボス５５を備える。そのうち、隣接する第１ボス５３同士の間には、隙間が設けられている。
【００２５】
本体部５１は、第４筒壁１７における光軸に近寄る表面に当接して、固定の役割を果たす。
【００２６】
図３に示すように、本実施形態において、第１ボス５３は二つあり、二つの第１ボス５３は遮光板５の中心軸に対して線対称に設置されている。
【００２７】
二つの第１ボス５３は、厚さが調整可能に設置され、第１ボス５３の厚さを調整することで、第２レンズ３３に対する圧力調節を実現し、第２レンズ３３に均一な力がかかる。
【００２８】
第２ボス５５は、第１レンズ３１を取り付けるために用いられる。具体的には、第２ボス５５は、突出部３１５に対向して設置され、且つ、第２遮光シート８は、第２ボス５５と突出部３１５との間に挟まれて設置される。
【００２９】
第１遮光シート７は、本体部７１と、本体部７１から外部に延伸する複数の接続部７３とを備える。第１遮光シート７の本体部７１は、遮光板５と第２レンズ３３との間に挟まれて設置され、且つ、接続部７３は、隣接する第１ボス５３同士の間の隙間に位置され、且つ前記隙間と逐一対応するように設置される。
【００３０】
具体的には、本実施形態において、接続部７３は二つあり、二つの接続部７３はそれぞれ、二つの第１ボス５３の間の隙間に係合接続されている。
【００３１】
好ましくは、接続部７３における光軸に近寄る一端から光軸より離れる一端まで、接続部７３の幅が徐々に大きくなるように設置される。
【００３２】
また、遮光板５、第１遮光シート７および第２遮光シート８は、いずれも遮光部材であり、三者の機能はほぼ同じである。遮光板５、第１遮光シート７および第２遮光シート８は、散乱光を集光するために用いられる一方で、レンズ群３を組立てる時に、隣接するレンズ同士が直接に接触することによって損傷しまうことはないことを確保するに用いられる。
【００３３】
押えリング９は、第１レンズ３１の像側方向に設置されている。具体的には、押えリング９は、周辺部３１３の像側面に支持して固定される。
【００３４】
押えリング９は、第１レンズ３１、遮光板５、第１遮光シート７および第２遮光シート８を締め付けることができ、レンズモジュール１００の内部の構造を安定させるように機能する。レンズ群３の光軸および鏡筒１の中心軸は、同一の直線に設置され、即ち、鏡筒１とレンズ群３からなる構造は、対称的な構造である。
【００３５】
（第２実施例）
図４に示すように、本実施例に係るレンズモジュールは、第１実施例に係るレンズモジュール１００とほぼ同じ構造を有し、異なるのは、第１ボス２が三つあり、三つの第１ボス２が前記遮光板の周方向に沿って均一に配置されることである。これに応じて、接続部４も三つあり、三つの接続部４はそれぞれ、隣接する第１ボス２の間の隙間に係合接続されている。
【００３６】
また、本発明では、第１ボス及び接続部の個数は限定されていなく、第１実施例と第２実施例は、説明の便宜のために挙げられた二つの例に過ぎなく、第１ボス及び接続部の個数は、実際の状況に応じてより多く設置されることができる。
【００３７】
従来技術に比べて、本発明に係るレンズモジュール１００は、互いに間隔をあけて設置される複数個の第１ボスを設置することによって、第１ボスの厚さおよび本体部５１の長さを調整することで第２レンズ３３の安定性を確保することができ、第１遮光シート７を第１ボスにおける光軸に近寄る側に設置することによって、第１遮光シート７と遮光板５を互いに協働させてレンズモジュール１００の遮光性能を向上させる一方で、第１ボスの厚さに影響することを回避し、さらに第２レンズ３３の安定性を確保する。
【００３８】
以上に説明されたのは、本発明の実施例に過ぎなく、当業者にとっては、本発明の構想から逸脱しない限り、さらに改良することができ、これらの改良も本発明の保護範囲に含まれると理解できるはずである。
【図１】
2020027290.tif 000003
【図２】
2020027290.tif 000004
【図３】
2020027290.tif 000005
【図４】
2020027290.tif 000006
【手続補正書】
【提出日】令和1年11月13日(2019.11.13)
【手続補正１】
【補正対象書類名】特許請求の範囲
【補正対象項目名】請求項７
【補正方法】変更
【補正の内容】
【請求項７】
前記第３筒壁は、第１表面から前記第１レンズの方向へ延伸する当接部をさらに備え、
前記当接部は、前記遮光板に当接していることを特徴とする請求項１に記載のレンズモジュール。